【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
情報を表示する表示手段と、 
階層的なメニュー画面の階層を切り替える指示を受け付ける切替手段と、
前記メニュー画面の第１の階層が表示されている際に前記切替手段によって第２の階層へ切り替える指示を受け付けると、第１の切り替え効果を付けて、前記第１の階層において表示画面上に表示されている第１のアイコン群を前記第２の階層のアイコン群である第２のアイコン群へ切り替えて前記メニュー画面の第２の階層を表示するように制御し、前記メニュー画面の前記第２の階層が表示されている際に前記切替手段によって第３の階層へ切り替える指示を受け付けると、前記第１の切り替え効果と異なる第２の切り替え効果を付けて、前記第２の階層において表示画面上に表示されている第２のアイコン群を前記第３の階層のアイコン群である第３のアイコン群へ切り替えて前記メニュー画面の第３の階層を表示するように制御する表示制御手段と、
を有することを特徴とする表示装置。
【請求項２】
前記表示制御手段は、前記第２の階層において、前記第２のアイコン群を前記第１の階層で前記第１のアイコン群が表示されていた位置に配列して表示し、前記第３の階層において、前記第３のアイコン群を前記第２の階層で前記第２のアイコン群が表示されていた位置に配列して表示するように制御することを特徴とする請求項１に記載の表示装置。
【請求項３】
前記第１の切り替え効果は、表示画面上に表示されている前記第１のアイコン群と表示領域を区分するウィンドウのうち前記第１のアイコン群を消去し、前記第１のアイコン群の消去後に、前記表示画面上で前記ウィンドウを動画表示させながら規定の位置に規定のサイズで表示し、さらに前記表示画面上に前記第１のアイコン群とは異なる第２のアイコン群を、前記第１のアイコン群が表示されていた位置と同じ位置に配列させる効果であることを特徴とする請求項１または２に記載の表示装置。
【請求項４】
前記第２の切り替え効果は、表示画面上に表示されている前記第２のアイコン群を消去し、前記第２のアイコン群の消去後に、前記表示画面上に第３のアイコン群を動画表示させながら、前記第２のアイコン群が表示されていた位置と同じ位置に前記第３のアイコン群を配列させる効果であることを特徴とする請求項１乃至３のいずれか１項に記載の表示装置。
【請求項５】
前記表示制御手段は、前記メニュー画面の前記第３の階層において、該第３の階層を表示するまでに前記第２の階層と前記第１の階層でどのメニュー項目を選択したかを示す情報を表示するよう制御することを特徴とする請求項１乃至４のいずれか１項に記載の表示装置。
【請求項６】
被写体を撮像する撮像手段を更に有し、
前記表示制御手段は、前記撮像手段によって撮像された画像に重畳して前記メニュー画面の各階層を表示するように制御することを特徴とする請求項１乃至５のいずれか１項に記載の表示装置。
【請求項７】
前記第１のアイコン群、前記第２のアイコン群、前記第３のアイコン群に含まれるアイコンのうち少なくともいずれかは、前記撮像手段による撮像にかかる設定を行うためのメニュー項目を示すアイコンであることを特徴とする請求項６に記載の表示装置。
【請求項８】
情報を表示する表示手段と、階層的なメニュー画面の階層を切り替える指示を受け付ける切替手段とを備える表示装置を制御する方法であって、
前記メニュー画面の第１の階層が表示されている際に前記切替手段によって第２の階層へ切り替える指示を受け付けると、第１の切り替え効果を付けて、前記第１の階層において表示画面上に表示されている第１のアイコン群を前記第２の階層のアイコン群である第２のアイコン群へ切り替えて前記メニュー画面の第２の階層を表示するように制御し、前記メニュー画面の前記第２の階層が表示されている際に前記切替手段によって第３の階層へ切り替える指示を受け付けると、前記第１の切り替え効果と異なる第２の切り替え効果を付けて、前記第２の階層において表示画面上に表示されている第２のアイコン群を前記第３の階層のアイコン群である第３のアイコン群へ切り替えて前記メニュー画面の第３の階層を表示するように制御する表示制御工程を有することを特徴とする表示装置の制御方法。
【請求項９】
請求項８に記載の表示装置の制御方法をコンピュータに実行させるためのプログラム。
【請求項１０】
請求項９に記載のプログラムを記憶したことを特徴とするコンピュータ読み取り可能な記憶媒体。
【手続補正２】
【補正対象書類名】明細書
【補正対象項目名】発明の名称
【補正方法】変更
【補正の内容】
【発明の名称】表示装置及びその制御方法及びプログラム及び記憶媒体
【手続補正３】
【補正対象書類名】明細書
【補正対象項目名】０００６
【補正方法】変更
【補正の内容】
【０００６】
従って、本発明は上述した課題に鑑みてなされたものであり、異なる階層に画面を切り替えた場合に、どの階層において画面が切り替わったかを使用者が容易に認知できるようにすることである。
【手続補正４】
【補正対象書類名】明細書
【補正対象項目名】０００７
【補正方法】変更
【補正の内容】
【０００７】
本発明に係わる表示装置は、情報を表示する表示手段と、 階層的なメニュー画面の階層を切り替える指示を受け付ける切替手段と、前記メニュー画面の第１の階層が表示されている際に前記切替手段によって第２の階層へ切り替える指示を受け付けると、第１の切り替え効果を付けて、前記第１の階層において表示画面上に表示されている第１のアイコン群を前記第２の階層のアイコン群である第２のアイコン群へ切り替えて前記メニュー画面の第２の階層を表示するように制御し、前記メニュー画面の前記第２の階層が表示されている際に前記切替手段によって第３の階層へ切り替える指示を受け付けると、前記第１の切り替え効果と異なる第２の切り替え効果を付けて、前記第２の階層において表示画面上に表示されている第２のアイコン群を前記第３の階層のアイコン群である第３のアイコン群へ切り替えて前記メニュー画面の第３の階層を表示するように制御する表示制御手段と、を有することを特徴とする。
【手続補正５】
【補正対象書類名】明細書
【補正対象項目名】０００８
【補正方法】変更
【補正の内容】
【０００８】
また、本発明に係わる表示装置の制御方法は、情報を表示する表示手段と、階層的なメニュー画面の階層を切り替える指示を受け付ける切替手段とを備える表示装置を制御する方法であって、前記メニュー画面の第１の階層が表示されている際に前記切替手段によって第２の階層へ切り替える指示を受け付けると、第１の切り替え効果を付けて、前記第１の階層において表示画面上に表示されている第１のアイコン群を前記第２の階層のアイコン群である第２のアイコン群へ切り替えて前記メニュー画面の第２の階層を表示するように制御し、前記メニュー画面の前記第２の階層が表示されている際に前記切替手段によって第３の階層へ切り替える指示を受け付けると、前記第１の切り替え効果と異なる第２の切り替え効果を付けて、前記第２の階層において表示画面上に表示されている第２のアイコン群を前記第３の階層のアイコン群である第３のアイコン群へ切り替えて前記メニュー画面の第３の階層を表示するように制御する表示制御工程を有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１５
【補正方法】変更
【補正の内容】
【００１５】
メニューの第１の階層の画面から第２の階層の画面、第２の階層の画面から第３の階層の画面へのそれぞれの遷移過程におけるアニメーションを変えることにより、操作者はどの画面への遷移が行われるかを容易に確認することができる。